(57)【要約】【課題】建物に設置される移動式足場装置において、装置の大型化を抑制しつつ利便性を向上させる。【解決手段】移動式足場装置１９は、建物１０に固定され、屋外方向へ張り出した複数の支持部材４０と、支持部材４０の各々において、屋外方向へ張り出した位置で回転可能に支持されたローラ４５，６５Ａ，６５Ｂとを備える。複数のローラ４５と、複数のローラ６５Ａ，６５Ｂとには、それぞれ下部レール７９と被挟持レール８９とが掛け渡されている。下部レール７９及び被挟持レール８９には、それぞれ下部足場７０及び上部足場８０が連結されている。【選択図】      図１
2013023903.tif 000002
【特許請求の範囲】
【請求項１】
建物に設置された移動式足場装置であって、
前記建物に固定され、屋外方向へ張り出した複数の支持部材と、
前記支持部材の各々において、前記屋外方向へ張り出した位置で回転可能に支持されたローラと、
複数の前記ローラに掛け渡され、前記ローラの回転によって移動させられるレールと、
前記レールに連結された足場部材と、
を備えていることを特徴とする移動式足場装置。
【請求項２】
建物に設置された移動式足場装置であって、
前記建物に固定され、屋外方向へ張り出した複数の支持部材と、
前記支持部材の各々において、前記屋外方向へ張り出した位置で回転可能に支持されたローラと、
２つ乃至４つの前記ローラに掛け渡され、前記ローラの回転によって移動させられるレールと、
前記レールに連結された足場部材と、
を備えていることを特徴とする移動式足場装置。
【請求項３】
前記屋外方向へ前記支持部材が張り出す長さを調節する調節機構を備えている請求項１又は２に記載の移動式足場装置。
【請求項４】
前記屋外方向へ前記支持部材が張り出した状態と張り出していない状態とを切り換える切換機構を備えている請求項１〜３のいずれか１項に記載の移動式足場装置。
【請求項５】
前記ローラは、前記支持部材の各々の下部において、前記屋外方向へ張り出した位置で回転可能に支持された第１ローラと、前記支持部材の各々の上部において、前記屋外方向へ張り出した位置で回転可能に支持された第２ローラとを含み、
前記レールは、複数の前記第１ローラに掛け渡され、前記第１ローラの回転によって移動させられる第１レールと、複数の前記第２ローラに掛け渡され、前記第２ローラの回転によって移動させられる第２レールとを含み、
前記足場部材は、前記第１レールの下方に配置された第１足場部材と、前記第２レールの上方に配置された第２足場部材とを含む請求項１〜４のいずれか１項に記載の移動式足場装置。
【請求項６】
前記建物は、側面壁と、前記側面壁から前記屋外方向へ張り出した上面壁及び下面壁とを備えており、
前記支持部材に連結され、前記上面壁及び前記下面壁で上端及び下端がそれぞれ支持された支柱と、
前記支柱の下部に連結され、前記上面壁及び前記側面壁で上端が支持された斜材と、
を備えている請求項１〜５のいずれか１項に記載の移動式足場装置。
【請求項７】
前記斜材は、前記支柱との連結部を中心として前記屋外方向に沿った鉛直面内で回転可能に連結されているとともに、伸縮を可能とする伸縮機構を備えている請求項６に記載の移動式足場装置。
【請求項８】
前記支柱の上端及び下端、並びに前記斜材の上端には、前記屋外方向と交差する方向へ水平に延びる水平部がそれぞれ設けられている請求項６又は７に記載の移動式足場装置。
【請求項９】
建物に設置される移動式足場装置であって、
屋外方向へ張り出すように前記建物に固定される複数の支持部材と、
前記支持部材の各々において、前記屋外方向へ張り出す位置で回転可能に支持されるローラと、
前記建物に設置された状態において、複数の前記ローラに掛け渡され、前記ローラの回転によって移動させられるレールと、
前記レールに連結される足場部材と、
を備えていることを特徴とする移動式足場装置。
【請求項１０】
前記建物に設置された状態において、前記屋外方向へ前記支持部材が張り出す長さを調節する調節機構を備えている請求項９に記載の移動式足場装置。
【請求項１１】
前記建物に設置された状態において、前記屋外方向へ前記支持部材が張り出した状態と張り出していない状態とを切り換える切換機構を備えている請求項９又は１０に記載の移動式足場装置。
【発明の詳細な説明】
【技術分野】
【０００１】
本発明は、建物に設置される移動式足場装置に関する。
【背景技術】
【０００２】
従来、建物の外壁のリフォーム作業など、作業者が建物の外壁に沿って移動しながら行う作業で用いられる移動式足場装置がある（例えば、特許文献１参照）。特許文献１に記載の装置では、搭乗用のバケットを支持する走行ユニットが、建物の突起部の上縁表面に沿って転がる走行ローラと、突起部の外表面に沿って転がる外側サイドローラと、突起部の内表面に沿って転がる内側サイドローラとを備えている。
【０００３】
また、通路やベランダ等、主要構造体から張り出す構造物が各階に設けられた建物において、その構造物に設置される簡易足場がある（例えば、特許文献２参照）。特許文献２に記載の足場は、廊下床の上に設置される足場本体と、足場本体に取り付けられてジャッキを介して上下の廊下床から支持反力を得るサポートと、足場本体から屋外方向へ張り出した足場板と、足場本体の下端に取り付けられたキャスタとを備えている。
【０００４】
また、建物の外壁面に沿って移動可能なゴンドラ装置がある（例えば、特許文献３参照）。特許文献３に記載の装置では、建物の屋上部分に設けられた保持機構により、建物の横幅方向へ延びるレールが保持されており、レールに沿ってゴンドラが移動可能となっている。
【先行技術文献】
【特許文献】
【０００５】
【特許文献１】特許第３９７１４４４号公報
【特許文献２】特開２０００−３８８３７号公報
【特許文献３】特許第４１３２５３２号公報
【発明の概要】
【発明が解決しようとする課題】
【０００６】
ところで、特許文献１に記載の足場装置では、走行ユニットの移動に際して、走行ローラ、外側サイドローラ、及び内側サイドローラが、建物の突起部の表面に沿って転がる。このため、建物の構造や突起部の表面形状等によっては、走行ユニットの移動が制限されることとなり、足場装置の利便性を向上させることができない。
【０００７】
また、特許文献２に記載の簡易足場では、足場本体に取り付けられたサポートが、ジャッキを介して上下の廊下床に固定されることで、足場本体が支持される。このため、簡易足場の設置場所を変更するためには、サポートを上下の廊下床から外して足場本体を移動させた後、再度サポートを上下の廊下床に固定する必要がある。したがって、簡易足場を移動させつつ使用することができず、簡易足場の利便性を向上させることができない。
【０００８】
一方、特許文献３に記載のゴンドラ装置では、建物の横幅方向へレールを長く延ばすことにより、ゴンドラの可動範囲を拡大することができ、ゴンドラ装置の利便性を向上させることができる。しかしながら、その場合には、非常に長いレールが必要となり、装置の大型化が避けられない。
【０００９】
本発明は、こうした実情に鑑みてなされたものであり、その主たる目的は、移動式足場装置において、装置の大型化を抑制しつつ利便性を向上させることにある。
【課題を解決するための手段】
【００１０】
本発明は、上記課題を解決するために、以下の手段を採用した。
【００１１】
第１の発明は、建物に設置された移動式足場装置であって、前記建物に固定され、屋外方向へ張り出した複数の支持部材と、前記支持部材の各々において、前記屋外方向へ張り出した位置で回転可能に支持されたローラと、複数の前記ローラに掛け渡され、前記ローラの回転によって移動させられるレールと、前記レールに連結された足場部材と、を備えていることを特徴とする。
【００１２】
上記構成によれば、建物には、屋外方向へ張り出した複数の支持部材が固定されている。各々の支持部材において、建物の屋外方向へ張り出した位置で、ローラが回転可能に支持されている。そして、レールに足場部材（足場）が連結されており、複数のローラに掛け渡されたレールが、ローラの回転により移動させられる。
【００１３】
すなわち、足場部材の連結されたレールが、ローラの回転により移動させられるため、建物に沿って延びる長いレールを必要としない。さらに、ローラを回転可能に支持する支持部材の数を増やすことにより、足場部材の連結されたレールの可動範囲を拡大することができるとともに、支持部材を固定したままで足場部材を移動させることができる。したがって、移動式足場装置において、装置の大型化を抑制しつつ、利便性を向上させることができる。なお、レールを安定させる上では、複数のローラが同一高さに配置されていることが望ましい。
【００１４】
第２の発明は、建物に設置された移動式足場装置であって、前記建物に固定され、屋外方向へ張り出した複数の支持部材と、前記支持部材の各々において、前記屋外方向へ張り出した位置で回転可能に支持されたローラと、２つ乃至４つの前記ローラに掛け渡され、前記ローラの回転によって移動させられるレールと、前記レールに連結された足場部材と、を備えていることを特徴とする。
【００１５】
上記構成によれば、レールが、２つ乃至４つのローラに掛け渡された状態で、ローラの回転により移動させられる。このため、少なくとも２つのローラにレールを掛け渡すことでレールを安定させるとともに、必要以上に長いレールを用いることによる装置の大型化を抑制することができる。
【００１６】
建物によっては、各支持部材を固定する部分の構造がそれぞれ異なる場合がある。この場合には、同一構成からなる支持部材及びローラを建物に複数固定したとすると、複数のローラが同一直線上に並ばずにずれることとなる。そして、複数のローラが同一直線上に並んでいない場合には、レールの移動に支障をきたすおそれがある。あるいは、複数のローラが同一直線上に並ぶようにするためには、長さの異なる支持部材が必要となり、移動式足場装置の汎用性が低下するおそれがある。
【００１７】
この点、第３の発明は、前記屋外方向へ前記支持部材が張り出す長さを調節する調節機構を備えている。このため、建物において各支持部材を固定する部分の構造に応じて、支持部材が屋外方向へ張り出す長さを調節することができる。したがって、ローラの位置を調節することが容易となり、移動式足場装置の汎用性を向上させることができる。
【００１８】
建物に複数の支持部材が固定された状態において、特定の支持部材のローラにレールを掛け渡そうとすると、他の支持部材とレールとが当たるおそれがある。
【００１９】
この点、第４の発明は、前記屋外方向へ前記支持部材が張り出した状態と張り出していない状態とを切り換える切換機構を備えている。このため、屋外方向へ支持部材が張り出していない状態に切り換えることができる。したがって、特定の支持部材のローラにレールを掛け渡す際に、他の支持部材とレールとが当たることを抑制することができる。その結果、ローラにレールを容易に掛け渡すことができ、移動式足場装置を設置する作業の効率を向上させることができる。
【００２０】
特に、第３の発明及び第４の発明の双方の構成を備える場合には、支持部材が屋外方向へ張り出す長さを調節機構により調節した後に、屋外方向へ支持部材が張り出していない状態へ切換機構により切り換えることができる。その結果、ローラにレールが掛け渡されていない状態で、屋外方向へ支持部材が張り出す長さを正確に調節することができるとともに、ローラにレールを容易に掛け渡すことができる。
【００２１】
第５の発明では、前記ローラは、前記支持部材の各々の下部において、前記屋外方向へ張り出した位置で回転可能に支持された第１ローラと、前記支持部材の各々の上部において、前記屋外方向へ張り出した位置で回転可能に支持された第２ローラとを含み、前記レールは、複数の前記第１ローラに掛け渡され、前記第１ローラの回転によって移動させられる第１レールと、複数の前記第２ローラに掛け渡され、前記第２ローラの回転によって移動させられる第２レールとを含み、前記足場部材は、前記第１レールの下方に配置された第１足場部材と、前記第２レールの上方に配置された第２足場部材とを含む。
【００２２】
上記構成によれば、各々の支持部材の下部と上部とにおいて、それぞれ第１ローラと第２ローラとが回転可能に支持されている。そして、第１レールの下方及び第２レールの上方にそれぞれ第１足場部材及び第２足場部材が配置されており、複数の第１ローラ及び複数の第２ローラにそれぞれ掛け渡された第１レール及び第２レールが、第１ローラ及び第２ローラの回転によりそれぞれ移動させられる。したがって、共通の支持部材を第１足場部材及び第２足場部材の双方の支持に用いることができ、必要な支持部材の数が増加することを抑制することができる。
【００２３】
第６の発明では、前記建物は、側面壁と、前記側面壁から前記屋外方向へ張り出した上面壁及び下面壁とを備えており、前記支持部材に連結され、前記上面壁及び前記下面壁で上端及び下端がそれぞれ支持された支柱と、前記支柱の下部に連結され、前記上面壁及び前記側面壁で上端が支持された斜材と、を備えている。
【００２４】
上記構成によれば、建物は、側面壁と、側面壁から屋外方向へ張り出した上面壁及び下面壁とを備えている。支柱に支持部材が連結されており、支柱の上端が上面壁によって支持され、支柱の下端が下面壁によって支持されている。支柱の下部に斜材が連結されており、斜材の上端が上面壁及び側面壁によって支持されている。
【００２５】
このため、支持部材にレール、足場部材、及び作業者等の重量が作用すると、支柱と支持部材との連結部分に支柱を回転させるモーメントが作用する。このモーメントは、支柱の下部に連結された斜材に伝達され、斜材の上端において建物の上面壁及び側面壁によって受け止められる。したがって、支柱及び斜材によって、支持部材を固定することができ、支持部材に作用する重量を受け止めることができる。
【００２６】
ここで、支持部材に作用する重量は、支柱の上端及び下端、並びに斜材の上端で受け止められるため、建物の下面壁に当たる部分を支柱の下端のみにすることができる。したがって、支持部材の固定が、下面壁の形状等によって制限されることを抑制することができる。特に、下面壁に排水溝等が設けられている場合には、支柱の下端を排水溝等に当てることができ、下面壁の防水加工等（表面）を傷めることを抑制することができる。
【００２７】
第７の発明では、前記斜材は、前記支柱との連結部を中心として前記屋外方向に沿った鉛直面内で回転可能に連結されているとともに、伸縮を可能とする伸縮機構を備えている。
【００２８】
上記構成によれば、支柱との連結部を中心として、斜材を屋外方向に沿った鉛直面内で回転させることができる。また、斜材は、伸縮機構を備えているため、その長さを調節することができる。したがって、建物の側面壁と支柱との距離や、上面壁と下面壁との距離にかかわらず、斜材の上端が上面壁及び側面壁によって支持されるように調節することができる。
【００２９】
第８の発明では、前記支柱の上端及び下端、並びに前記斜材の上端には、前記屋外方向と交差する方向へ水平に延びる水平部がそれぞれ設けられている。
【００３０】
上記構成によれば、支柱の上端及び斜材の上端にそれぞれ設けられた水平部が、建物の上面壁に当たり、支柱の下端に設けられた水平部が、建物の下面壁に当たることとなる。そして、これらの水平部は、屋外方向と交差する方向へ水平に延びているため、鉛直面内から支柱及び斜材をずらす力が作用した場合に、その力が水平部によって受け止められる。したがって、支持部材の固定をより安定させることができる。
【００３１】
第９の発明は、建物に設置される移動式足場装置であって、屋外方向へ張り出すように前記建物に固定される複数の支持部材と、前記支持部材の各々において、前記屋外方向へ張り出す位置で回転可能に支持されるローラと、前記建物に設置された状態において、複数の前記ローラに掛け渡され、前記ローラの回転によって移動させられるレールと、前記レールに連結される足場部材と、を備えていることを特徴とする。
【００３２】
上記構成によれば、移動式足場装置が建物に設置されることにより、第１の発明と同様の作用効果を奏することができる。
【００３３】
第１０の発明では、前記建物に設置された状態において、前記屋外方向へ前記支持部材が張り出す長さを調節する調節機構を備えている。
【００３４】
上記構成によれば、移動式足場装置が建物に設置された場合に、第３の発明と同様の作用効果を奏することができる。
【００３５】
第１１の発明では、前記建物に設置された状態において、前記屋外方向へ前記支持部材が張り出した状態と張り出していない状態とを切り換える切換機構を備えている。
【００３６】
上記構成によれば、移動式足場装置が建物に設置された場合に、第４の発明と同様の作用効果を奏することができる。
【００３７】
特に、第１０の発明及び第１１の発明の双方の構成を備える場合には、第３の発明及び第４の発明の双方の構成を備える場合と同様の作用効果を奏することができる。
【図面の簡単な説明】
【００３８】
【図１】移動式足場装置の概略を示す正面図。
【図２】移動式足場装置を示す側面図。
【図３】回転機構周辺を示す拡大側面図。
【図４】回転機構の動作の概略を示す正面図。
【図５】支持部材周辺を示す拡大側面図。
【発明を実施するための形態】
【００３９】
以下、一実施形態について、図面を参照しつつ説明する。本実施形態は、マンションやアパートにおいて、外壁や手摺りの補修作業や仕上げ作業に用いる移動式足場装置として具体化している。
【００４０】
まず、図1を参照して、移動式足場装置１９の概略について説明する。
【００４１】
同図に示すように、建物１０は、外壁１１（側面壁）、下階の通路床１２（下面壁）、及び上階の通路床１３(上面壁)、及び手摺り１４を備えている。通路床１２，１３は、外壁１１から建物１０の屋外方向へ張り出している。なお、建物１０において、下面壁として下階のベランダ床を対象とし、上面壁として上階のベランダ床を対象としてもよい。
【００４２】
建物１０の屋外方向へ張り出した位置で、ローラ４５，６５Ａ，６５Ｂが支持部材４０によって回転可能に支持されている。そして、複数の下部ローラ４５に掛け渡された下部レール７９を、下部ローラ４５の回転に伴って移動させることにより、下部レール７９に連結された下部足場７０を移動させる。また、複数の挟持ローラ６５Ａ，６５Ｂに掛け渡された被挟持レール８９を、挟持ローラ６５Ａ，６５Ｂの回転に伴って移動させることにより、被挟持レール８９に連結された上部足場８０を移動させる。
【００４３】
次に、移動式足場装置１９の各部の構成について説明する。図２は、移動式足場装置１９を示す側面図である。
【００４４】
固定装置２０は、上記ローラ４５，６５Ａ，６５Ｂ等を支持する支持部材４０を、上記建物１０に固定する装置である。固定装置２０は、支柱２１、斜材２５、横材３０、及び回転機構３５等を備えている。支柱２１には、回転機構３５を介して上記支持部材４０が連結されている。
【００４５】
支柱２１は、長尺状に形成されており、底部２２、上部２３、及び伸縮機構２４を備えている。伸縮機構２４は、支柱２１の一部が重なる長さを調節してねじ等で固定することにより、支柱２１を伸縮可能とする。そして、伸縮機構２４により、支柱２１の長さが下階の通路床１２と上階の通路床１３との間隔に等しく調節されている。
【００４６】
支柱２１では、底部２２（下端）が下階の通路床１２によって支持されており、上部２３（上端）が上階の通路床１３によって支持されている。底部２２及び上部２３は、支柱２１の長手方向に対して垂直に延びており、その延びる方向が水平となるように配置されている。詳しくは、底部２２（水平部）の延びる方向、及び上部２３（水平部）の延びる方向が、建物１０の屋外方向に垂直となる（屋外方向と交差する）ように配置されている。底部２２は、下階の通路床１２に設けられた排水溝１２ａ（溝）内に配置されている。なお、上部２３には、支柱２１の長手方向と上部２３の延びる方向とのなす角度を維持するように補強する補強部２３ａが設けられている。
【００４７】
斜材２５は、長尺状に形成されており、下方連結部２６、中間連結部２７、上部２８、及び伸縮機構２９を備えている。伸縮機構２９は、斜材２５の一部が重なる長さを調節してねじ等で固定することにより、斜材２５を伸縮可能とする。そして、伸縮機構２９により、斜材２５の上部２８が上階の通路床１３の下面及び外壁１１の屋外側面に当たるように、斜材２５の長さが調節されている。すなわち、下方連結部２６から上部２８までの長さが、下方連結部２６から外壁１１と上階の通路床１３との交差部までの距離と等しくなるように、斜材２５の長さが調節されている。
【００４８】
斜材２５では、下方連結部２６（下端）が支柱２１の下部に連結されており、上部２８が外壁１１及び上階の通路床１３によって支持されている。斜材２５は、下方連結部２６を中心として屋外方向に沿った鉛直面内で回転可能に連結されている。上部２８（上端）は、斜材２５の長手方向に対して垂直に延びており、その延びる方向が水平となるように配置されている。詳しくは、上部２８（水平部）の延びる方向が、建物１０の屋外方向に垂直となる（屋外方向と交差する）ように配置されている。このため、上部２８は、外壁１１の屋外側面及び上階の通路床１３の下面の双方に対して、長手方向の全長にわたって当接している。上部２８の断面形状は円形とされており、上部２８は外壁１１の屋外側面及び上階の通路床１３の下面の双方に対して安定した状態で当接することができる。
【００４９】
斜材２５の中間連結部２７には、横材３０が連結されている。横材３０は、長尺状に形成されており、係合部３１及び伸縮機構３２を備えている。横材３０は斜材２５に対して、中間連結部２７を中心として屋外方向に沿った鉛直面内で回転可能に連結されている。伸縮機構３２は、横材３０の一部が重なる長さを調節してねじ等で固定することにより、横材３０を伸縮可能とする。
【００５０】
図３を併せて参照して、係合部３１について説明する。ここで、上記支柱２１の中間部には、係合部３１が係合させられる被係合部２１ａが設けられている。係合部３１として、横材３０において上記中間連結部２７と反対側の端部に切り欠きが形成されている。被係合部２１ａは、係合部３１としての切り欠きと嵌合するピン２１ｂを備えている。係合部３１が被係合部２１ａに係合した状態では、係合部３１と被係合部２１ａとの相対回転が許容され、係合部３１と被係合部２１ａとの相対移動が規制される。
【００５１】
そして、伸縮機構３２により、横材３０の係合部３１が支柱２１の被係合部２１ａに係合するように、横材３０の長さが調節されている。すなわち、斜材２５の中間連結部２７から被係合部２１ａまでの長さが、中間連結部２７から被係合部２１ａまでの距離と等しくなるように、横材３０の長さが調節されている。係合部３１が被係合部２１ａに係合した状態では、斜材２５が下方連結部２６を中心として、斜材２５の上部２８が支柱２１へ近づく方向へ回転することが規制される。
【００５２】
図３に示すように、支柱２１には回転機構３５が設けられている。回転機構３５（切換機構）は、筒状に形成された本体部３６を備えている。本体部３６は、支柱２１の外周に嵌合しており、支柱２１の長手方向へ移動可能であるとともに、支柱２１の周方向に回転可能となっている。本体部３６には、長手方向において所定間隔おきに、長手方向に垂直な方向へ貫通する貫通孔３７が形成されている。また、本体部３６の下端部には、切り欠き３８Ａ，３８Ｂが形成されている。切り欠き３８Ａ，３８Ｂは、本体部３６の周方向へ略９０°の間隔をおいて形成されており、本体部３６において下端から上方へ延びている。貫通孔３７と切り欠き３８Ａとは、本体部３６の周方向に関して同じ位置に形成されている。
【００５３】
支柱２１には、上記の各貫通孔３７に対応する貫通孔が形成されている。すなわち、支柱２１には、長手方向において上記所定間隔と等しい間隔で、長手方向に垂直な方向へ貫通する貫通孔が形成されている。
【００５４】
本体部３６の貫通孔３７及び支柱２１の貫通孔にピン３９Ａが挿通しており、切り欠き３８Ａにピン３９Ｂが嵌合（本体部３６の貫通孔３７及び支柱２１の貫通孔にピン３９Ｂが挿通）している。この状態では、支柱２１の長手方向への本体部３６の移動、及び支柱２１に対する本体部３６の回転が規制されている。そして、ピン３９Ａ，３９Ｂを抜いて本体部３６を上下に移動させた後、ピン３９Ａ，３９Ｂを差し込むことにより、支柱２１に対する回転機構３５の上下位置を調節することができる。
【００５５】
図４を併せて参照して、回転機構３５の動作について説明する。なお、同図では、足場７０，８０、及び固定装置２０の一部を省略して示している。ピン３９Ａ，３９Ｂを抜いて本体部３６を支柱２１の周方向へ回転させることにより、上記支持部材４０，ローラ６５Ａ，６５Ｂ等を屋外方向から待避させることができる（二点鎖線で表示）。そして、ピン３９Ｂを差し込んで切り欠き３８Ｂに嵌合させることにより、この待避状態で支持部材４０，ローラ６５Ａ，６５Ｂ等を保持することができる。すなわち、回転機構３５は、屋外方向へ支持部材４０が張り出した状態と張り出していない状態とを切り換える。
【００５６】
図１，２に示すように、各固定装置２０によって各支持部材４０が建物１０に固定されており、複数の支持部材４０によって足場７０，８０が支持されている。そして、支持部材４０の各々において、屋外方向へ張り出した位置でローラ４５，６５Ａ，６５Ｂが回転可能に支持されている。以下に、図５を参照して、支持部材４０、ローラ４５，６５Ａ，６５Ｂ等の構成について説明する。図５は、支持部材４０周辺を示す拡大側面図である。
【００５７】
同図に示すように、支持部材４０は、長尺状に形成されており、「Ｈ」形の鋼材を用いて形成さている。そして、支持部材４０としての「Ｈ」形の鋼材のフランジが、それぞれ上下に配置されている。支持部材４０には、長手方向に垂直な方向へ貫通する貫通孔が、長手方向において所定間隔おきに複数形成されている。
【００５８】
支持部材４０と回転機構３５との連結部には、支持部材４０の長さを調節する調節機構４１が設けられている。調節機構４１は、屋外方向へ支持部材４０が張り出す長さを調節可能とする。調節機構４１は、筒状に形成された本体部４１ａを備えている。支持部材４０は、本体部４１ａの内周に嵌合しており、長手方向へ移動可能であり、周方向に回転不能となっている。本体部４１ａには、支持部材４０に形成された貫通孔に重ね合わせることが可能な貫通孔が形成されている。そして、支持部材４０と本体部４１ａとを相対移動させ、支持部材４０に形成された貫通孔に本体部４１ａに形成された貫通孔を重ね合わせて、ボルト等の締結具４２により締結している。
【００５９】
支持部材４０の下部には、上記下部ローラ４５を回転可能に保持する保持部４６が取り付けられている。保持部４６は、支持部材４０において回転機構３５とは反対側の端部付近に取り付けられている。そして、保持部４６によって、下部ローラ４５が回転可能に保持されている。下部ローラ４５（第１ローラ）は、鋼材等により円柱状に形成されており、軸線方向の両端にフランジ部４７を備えている。ローラ４５の軸線方向は、支持部材４０の長手方向と一致している。このため、支持部材４０が建物１０屋外方向へ張り出した状態において、ローラ４５の軸線方向は、屋内外方向と一致するとともに上記外壁１１に略垂直になっている。
【００６０】
複数（ここでは３乃至４）の下部ローラ４５の上に、下部レール７９が掛け渡されている。下部レール７９（第１レール）は、長尺状に形成されており、角形の鋼材を用いて四角柱状に形成されている。レール７９の横幅は、ローラ４５の一対のフランジ部４７間の距離よりも若干狭く設定されている。そして、一対のフランジ部４７間に、レール７９が配置されている。詳しくは、レール７９の両側面がフランジ部４７と平行になっており、レール７９の側面とフランジ部４７とが高さ方向で一部重複している。
【００６１】
下部レール７９には、連結部７８を介して、下部足場７０の上部支持部７７が連結されている。上部支持部７７は、下部足場７０の上部を支持する部分であり、下部足場７０の上面部材７１から上方へ延びている。上部支持部７７は、長尺状に形成されており、角形の鋼材を用いて四角柱状に形成されている。上部支持部７７の屋内外方向の幅は、ローラ４５の一対のフランジ部４７間の距離よりも若干狭く設定されている。そして、一対のフランジ部４７間に、上部支持部７７が配置されている。詳しくは、上部支持部７７の屋内外方向の側面がフランジ部４７と平行になっており、その側面とフランジ部４７とが高さ方向で一部重複している。レール７９と上部支持部７７との間隔は、ローラ４５の直径よりも若干広くなっている。そして、レール７９と上部支持部７７とでローラ４５を挟んだ状態では、ローラ４５からレール７９及び上部支持部７７が外れることが、一対のフランジ部４７により規制されている。
【００６２】
支持部材４０の上部には、上記の挟持ローラ６５Ａ，６５Ｂを回転可能に保持する保持部６６が取り付けられている。保持部６６は、支持部材４０において回転機構３５側の端部付近に取り付けられている。そして、保持部６６によって、挟持ローラ６５Ａ，６５Ｂがそれぞれ回転可能に保持されている。挟持ローラ６５Ａ，６５Ｂ（第２ローラ）はそれぞれ、鋼材等により円柱状に形成されており、軸線方向の両端にフランジ部６７を備えている。ローラ６５Ａ，６５Ｂの軸線方向は、支持部材４０の長手方向と一致している。このため、支持部材４０が建物１０屋外方向へ張り出した状態において、ローラ６５Ａ，６５Ｂの軸線方向は、屋内外方向と一致するとともに上記外壁１１に略垂直になっている。
【００６３】
複数対（ここでは３対乃至４対）の挟持ローラ６５Ａ，６５Ｂに、被挟持レール８９が掛け渡されている。被挟持レール８９（第２レール）は、挟持ローラ６５Ａ，６５Ｂの間に配置されている。レール８９は、長尺状に形成されており、「Ｈ」形の鋼材を用いて形成されている。レール８９の横幅は、ローラ６５Ａ，６５Ｂの一対のフランジ部６７間の距離よりも若干狭く設定されている。そして、一対のフランジ部６７間に、レール８９が配置されている。詳しくは、レール８９の上部とローラ６５Ａのフランジ部６７とが高さ方向で一部重複しており、レール８９の下部とローラ６５Ｂのフランジ部６７とが高さ方向で一部重複している。ローラ６５Ａとローラ６５Ｂとの間隔は、レール８９の高さよりも若干広くなっている。そして、ローラ６５Ａとローラ６５Ｂとでレール８９を挟んだ状態では、ローラ６５Ａとローラ６５Ｂとの間からレール８９が外れることが、ローラ６５Ａの一対のフランジ部６７及びローラ６５Ｂの一対のフランジ部６７により規制されている。被挟持レール８９には、連結部８８を介して、上部足場８０の下面部材８１が連結されている。
【００６４】
また、支持部材４０の上部には、上部ローラ５５を回転可能に保持する保持部５６が取り付けられている。保持部５６は、支持部材４０において回転機構３５とは反対側の端部付近に取り付けられている。そして、保持部５６によって、上部ローラ５５が回転可能に保持されている。上部ローラ５５（第２ローラ）は、鋼材等により円柱状に形成されており、軸線方向の両端にフランジ部５７を備えている。ローラ５５の軸線方向は、支持部材４０の長手方向と一致している。このため、支持部材４０が建物１０屋外方向へ張り出した状態において、ローラ５５の軸線方向は、屋内外方向と一致するとともに上記外壁１１に略垂直になっている。
【００６５】
複数（ここでは３乃至４）の上部ローラ５５の上に、上部レール５９が掛け渡されている。上部レール５９（第２レール）は、長尺状に形成されており、「Ｈ」形の鋼材を用いて形成されている。レール５９の横幅は、ローラ５５の一対のフランジ部５７間の距離よりも若干狭く設定されている。そして、一対のフランジ部５７間に、レール５９が配置されている。詳しくは、レール５９の下部とローラ５５のフランジ部５７とが高さ方向で一部重複している。そして、ローラ５５の上にレール５９が掛け渡された状態では、ローラ５５からレール５９が外れることが、一対のフランジ部５７により抑制されている。上部レール５９には、上部足場８０の下面部材８１が直接連結されている。
【００６６】
図１，２に戻り、下部足場７０及び上部足場８０について説明する。
【００６７】
下部足場７０は、上面部材７１、上部支持部７７、下面部材７２、複数の縦材７３、及び手摺り７４を備えている。平板状の下面部材７２（第１足場部材）と平板状の上面部材７１とが、複数の縦材７３によって連結されている。下面部材７２及び上面部材７１は水平に配置されており、複数の縦材７３は鉛直に配置されている。そして、下部足場７０の外縁を囲むように手摺り７４が設けられている。上面部材７１には、各上部支持部７７が連結されている。
【００６８】
上部足場８０は、下面部材８１、複数の縦材８３、及び手摺り８４を備えている。平板状の下面部材７２（第２足場部材）に複数の縦材８３が立設されており、複数の縦材８３の上部が手摺り８４によって連結されている。下面部材８１は水平に配置されており、複数の縦材８３は鉛直に配置されている。そして、上部足場８０の外縁を囲むように手摺り８４が配置されている。下面部材８１には、被挟持レール８９及び上部レール５９が連結されている。
【００６９】
次に、図１，２を参照して、上記移動式足場装置１９を組み立てる手順について説明する。手順は以下の通りである。
【００７０】
１．建物１０の幅方向において所定間隔（レール７９，５９，８９の長さの１／４〜１／２の間隔）で、複数の固定装置２０を設置する。例えば、レール７９，５９，８９は同一の長さで２７００ｍｍであり、固定装置２０の間隔は９００ｍｍである。固定装置２０を設置手順として、伸縮機構２４により支柱２１の長さを調節して、下階の通路床１２の上面に底部２２を当接させるとともに、上階の通路床１３の下面に上部２３を当接させる。このとき、排水溝１２ａ内に底部２２を配置する。また、伸縮機構２９により斜材２５の長さを調節するとともに、下方連結部２６を中心として斜材２５を回転させて、上部２８を外壁１１の屋外側面及び上階の通路床１３の下面に当接させる。そして、伸縮機構３２により横材３０の長さを調節するとともに、中間連結部２７を中心として横材３０を回転させて、係合部３１を被係合部２１ａに係合させる。
【００７１】
２．各調節機構４１により各支持部材４０の長さを調節して、建物１０の屋外方向における共通のローラ（例えば下部ローラ４５同士）の位置を合わせる。ここで、建物１０の構造によっては、外壁１１から屋外方向へ等距離の位置に全ての固定装置２０を設置することができないため、その分のずれを補うように各調節機構４１により各支持部材４０の長さを調節する。
【００７２】
３．各固定装置２０において支柱２１に対する回転機構３５の上下位置を調節して、全ての回転機構３５の高さ位置を合わせる。詳しくは、図３に示すように、回転機構３５において、ピン３９Ａ，３９Ｂを抜いて本体部３６を上下に移動させた後、ピン３９Ａ，３９Ｂを差し込むことにより、支柱２１に対する本体部３６の上下位置を調節して本体部３６を固定する。なお、この工程と上記２の工程との順番を入れ替えることもできる。
【００７３】
４．レール７９，５９，８９の長さに対応する分の支持部材４０を、回転機構３５により屋外方向から待避させる。例えば、４つの固定装置２０において、それぞれ回転機構３５により支持部材４０が屋外方向へ張り出していない状態（図４に二点鎖線で示す状態）とする。すなわち、ローラ４５，５５，６５Ａ，６５Ｂの高さ位置を、レール７９，５９，８９を通過させることができるようにする。
【００７４】
５．支持部材４０を待避させた箇所において、上方又は下方から足場７０，８０をそれぞれ設置する高さまで移動させる。例えば、クレーン等により、支持部材４０を避けながら、上方から足場７０，８０をそれぞれ設置する高さまで降ろす。
【００７５】
６．足場７０，８０を建物１０の幅方向へそれぞれ移動させて、下部レール７９を複数の下部ローラ４５に掛け渡すととともに、上部レール５９を複数の上部ローラ５５に掛け渡す（被挟持レール８９を複数対の挟持ローラ６５Ａ，６５Ｂに掛け渡す）。
【００７６】
７．屋外方向から待避させていた支持部材４０を、回転機構３５により屋外方向へ張り出した状態にする。そして、回転機構３５において、支柱２１に対する本体部３６の上下位置を調節して本体部３６を固定する。以上により、移動式足場装置１９の組み立てが完了する。
【００７７】
そして、作業者は、移動式足場装置１９において、足場７０，８０を建物１０の幅方向へ移動させながら、手摺り１４等の補修作業や仕上げ作業を行う。
【００７８】
詳しくは、作業者は、手摺り１４から下部足場７０へはしごＬを掛け渡して、はしごＬを降りることで足場７０へ乗り込む。また、上部足場８０へは、上階からはしごＬを用いずに乗り込むこともできる。このとき、支持部材４０にレール７９，５９，８９、足場７０，８０、及び作業者等の重量が作用すると、支柱２１と支持部材４０との連結部分である回転機構３５に、支柱２１を回転させるモーメントが作用する。このモーメントは、支柱２１の下部に連結された斜材２５に伝達され、斜材２５の上部２８において建物１０の通路床１３及び外壁１１によって受け止められる。また、支柱２１の上部２３及び斜材２５の上部２８が、建物１０の通路床１３に当たり、支柱２１の底部２２が、建物１０の通路床１２に当たる。そして、これらの上部２３，２８，底部２２は、屋外方向と交差する方向へ水平に延びているため、鉛直面内から支柱２１及び斜材２５をずらす力が作用した場合に、その力が上部２３，２８，底部２２によって受け止められる。
【００７９】
そして、作業者は、足場７０，８０に乗った状態において、手摺り１４等へ作業を行った後、足場７０，８０を建物１０の幅方向へ移動させる。このとき、例えば下部ローラ４５の回転に伴って下部レール７９が移動させられ、並んで配置された下部ローラ４５に順次下部レール７９が掛け渡される。これを繰り返して、建物１０全体の手摺り１４等に対して補修や仕上げの作業を行う。なお、作業者は、足場７０，８０から一旦降りて、足場７０，８０を建物１０の幅方向へ移動させてもよい。
【００８０】
以上詳述した本実施形態は以下の利点を有する。
【００８１】
・建物１０には、屋外方向へ張り出した複数の支持部材４０が固定されている。各々の支持部材４０において、建物１０の屋外方向へ張り出した位置で、ローラ４５と、ローラ６５Ａ，６５Ｂとが回転可能に支持されている。そして、下部足場７０，上部足場８０にそれぞれ連結されたレール７９，８９が、ローラ４５と、ローラ６５Ａ，６５Ｂとの回転により移動させられるため、建物１０に沿って延びる長いレールを必要としない。さらに、ローラ４５と、ローラ６５Ａ，６５Ｂとを回転可能に支持する支持部材４０、及びそれを固定する固定装置２０の数を増やすことにより、足場７０，８０の連結されたレール７９，８９の可動範囲を拡大することができるとともに、支持部材４０を固定したままで足場７０，８０を移動させることができる。したがって、移動式足場装置１９において、装置の大型化を抑制しつつ、利便性を向上させることができる。
【００８２】
・レール７９（８９）が、３つ乃至４つのローラ４５（３対乃至４対のローラ６５Ａ，６５Ｂ）に掛け渡された状態で、ローラ４５（ローラ６５Ａ，６５Ｂ）の回転により移動させられる。このため、少なくとも３つのローラ４５（少なくとも３対のローラ６５Ａ，６５Ｂ）に、レール７９（８９）が掛け渡される。したがって、レール７９（８９）を安定させるとともに、必要以上に長いレールを用いることによる移動式足場装置１９の大型化を抑制することができる。
【００８３】
・建物１０の構造によっては、各支持部材４０を固定すべき部分の構造がそれぞれ異なる場合がある。この場合には、同一構成からなる支持部材４０及びローラ４５（ローラ６５Ａ，６５Ｂ）を建物１０に複数固定したとすると、複数のローラ４５（複数対のローラ６５Ａ，６５Ｂ）が同一直線上に並ばずにずれることとなる。そして、複数のローラ４５（複数対のローラ６５Ａ，６５Ｂ）が同一直線上に並んでいない場合には、レール７９（８９）の移動に支障をきたすおそれがある。あるいは、複数のローラ４５（複数対のローラ６５Ａ，６５Ｂ）が、同一直線上に並ぶようにするためには、長さの異なる支持部材４０が必要となり、移動式足場装置１９の汎用性が低下するおそれがある。
【００８４】
この点、上記実施形態では、屋外方向へ支持部材４０が張り出す長さを調節する調節機構４１を備えている。このため、建物１０において各支持部材４０を固定する部分の構造に応じて、支持部材４０が屋外方向へ張り出す長さを調節することができる。したがって、複数のローラ４５（複数対のローラ６５Ａ，６５Ｂ）の位置を調節することが容易となり、移動式足場装置１９の汎用性を向上させることができる。
【００８５】
・建物１０に複数の支持部材４０が固定された状態において、特定の支持部材４０のローラ４５と、ローラ６５Ａ，６５Ｂとに、レール７９，８９をそれぞれ掛け渡そうとすると、他の支持部材４０とレール７９，８９とが当たるおそれがある。
【００８６】
この点、上記実施形態では、屋外方向へ支持部材４０が張り出した状態と張り出していない状態とを切り換える回転機構３５を備えている。このため、屋外方向へ支持部材４０が張り出していない状態に切り換えることができる。したがって、特定の支持部材４０のローラ４５と、ローラ６５Ａ，６５Ｂとにレール７９，８９を掛け渡す際に、他の支持部材４０とレール７９，８９とが当たることを抑制することができる。その結果、ローラ４５と、ローラ６５Ａ，６５Ｂとにレール７９，８９を容易に掛け渡すことができ、移動式足場装置１９を設置する作業の効率を向上させることができる。
【００８７】
・特に、上記実施形態では、調節機構４１と回転機構３５とを備えている。このため、支持部材４０が屋外方向へ張り出す長さを調節機構４１により調節した後に、屋外方向へ支持部材４０が張り出していない状態へ回転機構３５により切り換えることができる。その結果、ローラ４５と、ローラ６５Ａ，６５Ｂとにレール７９，８９が掛け渡されていない状態で、屋外方向へ支持部材４０が張り出す長さを正確に調節することができるとともに、ローラ４５と、ローラ６５Ａ，６５Ｂとにレール７９，８９を容易に掛け渡すことができる。
【００８８】
・各々の支持部材４０の下部と上部とにおいて、それぞれローラ４５と、ローラ６５Ａ，６５Ｂ（５５）とが回転可能に支持されている。レール７９の下方及びレール８９（５９）の上方に、それぞれ下部足場７０及び上部足場８０が配置されている。そして、複数のローラ４５と、複数対のローラ６５Ａ，６５Ｂ（複数のローラ５５）とにそれぞれ掛け渡されたレール７９と、レール８９（５９）とが、ローラ４５と、ローラ６５Ａ，６５Ｂ（５５）との回転によりそれぞれ移動させられる。したがって、共通の支持部材４０を下部足場７０及び上部足場８０の双方の支持に用いることができ、必要な支持部材４０の数が増加することを抑制することができる。
【００８９】
・建物１０は、外壁１１と、外壁１１から屋外方向へ張り出した上階の通路床１３及び下階の通路床１２とを備えている。支柱２１に支持部材４０が連結されており、支柱２１の上部２３が上階の通路床１３によって支持され、支柱２１の底部２２が下階の通路床１２によって支持されている。支柱２１の下部に斜材２５が連結されており、斜材２５の上部２８が上階の通路床１３及び外壁１１によって支持されている。
【００９０】
このため、支持部材４０にレール７９，８９，５９、足場７０，８０、及び作業者等の重量が作用すると、支柱２１と支持部材４０との連結部分に支柱２１を回転させるモーメントが作用する。このモーメントは、支柱２１の下部に連結された斜材２５に伝達され、斜材２５の上部２８において建物１０の上階の通路床１３及び外壁１１によって受け止められる。したがって、支柱２１及び斜材２５によって、支持部材４０を固定することができ、支持部材４０に作用する重量を受け止めることができる。
【００９１】
ここで、支持部材４０に作用する重量は、支柱２１の上部２３及び底部２２、並びに斜材２５の上部２８で受け止められるため、建物１０の下階の通路床１２に当たる部分を支柱２１の底部２２のみにすることができる。したがって、支持部材４０の固定が、通路床１２の形状等によって制限されることを抑制することができる。特に、通路床１２に排水溝１２ａが設けられており、支柱２１の下端を排水溝１２ａに当てることができ、通路床１２の防水加工等（表面）を傷めることを抑制することができる。
【００９２】
・下方連結部２６を中心として、斜材２５を屋外方向に沿った鉛直面内で回転させることができる。また、斜材２５は、伸縮機構２９を備えているため、その長さを調節することができる。したがって、建物１０の外壁１１と支柱２１との距離や、上階の通路床１３と下階の通路床１２との距離にかかわらず、斜材２５の上部２８が上階の通路床１３及び外壁１１によって支持されるように調節することができる。
【００９３】
・支柱２１の上部２３及び斜材２５の上部２８が、建物１０の上階の通路床１３に当たり、支柱２１の底部２２が、建物１０の下階の通路床１２に当たっている。そして、これらの上部２３，２８、底部２２は、屋外方向に垂直な方向へ水平に延びているため、鉛直面内から支柱２１及び斜材２５をずらす力が作用した場合に、その力が上部２３，２８、底部２２によって受け止められる。したがって、支持部材４０の固定をより安定させることができる。
【００９４】
上記実施形態を、以下のように変形して実施することもできる。
【００９５】
・上記実施形態では、支柱２１の上部２３、斜材２５の上部２８、及び支柱２１の底部２２が、屋外方向に垂直な方向へ水平に延びるようにした。しかしながら、これら上部２３，２８、底部２２が、それぞれ少なくとも２箇所で上階の通路床１３や下階の通路床１２に当たるようにしてもよい。その場合であっても、鉛直面内から支柱２１及び斜材２５をずらす力が作用した場合に、その力が上部２３，２８、底部２２によって受け止められる。したがって、支持部材４０の固定を安定させることができる。
【００９６】
・「Ｈ」型の鋼材により形成されたレール８９，５９に代えて、角形の鋼材により形成されたレール８９，５９を採用することもできる。
【００９７】
・ローラ４５，６５Ａ，６５Ｂ，５５の表面にゴム製のタイヤ等、防音材や衝撃吸収材を設けてもよい。こうした構成によれば、ローラの回転に伴ってレールを移動させる際に、騒音の発生を抑制することができる。
【００９８】
・調節機構４１による屋外方向へ支持部材４０が張り出す長さの調節は、支持部材４０を固定装置２０により固定する前であっても後であっても行うことができる。
【００９９】
・建物１０において各支持部材４０を固定すべき部分の構造が同一である場合には、調節機構４１を省略することもできる。その場合には、同一長さの複数の支持部材４０であっても、複数のローラ４５と、複数対のローラ６５Ａ，６５Ｂとを、それぞれ同一直線上に並ばせることができる。その結果、支持部材４０の構成を簡素化することができる。
【０１００】
・建物１０において、手摺り１４の補修作業や仕上げ作業を行う箇所が一部である場合には、その箇所にのみ支持部材４０や固定装置２０を設置すればよい。その場合には、回転機構３５により支持部材４０を屋外方向から退避させなくても、ローラ４５と、ローラ６５Ａ，６５Ｂとに、レール７９，８９をそれぞれ掛け渡すことができる。したがって、回転機構３５において退避機能を省略して構成を簡素化素することができる。
【０１０１】
・固定装置２０の構成は、上記実施形態に限定されず、斜材２５に代えて支柱２１を備える構成等を採用することもできる。また、複数の支柱２１に支持部材４０が連結される構成等を採用することもできる。
【０１０２】
・上記実施形態では、一対のフランジ部４７，６７，５７の間に、レール７９，８９，５９がそれぞれ配置されるようにした。しかしながら、ローラ４５，６５Ａ（６５Ｂ），５５にそれぞれ周方向に延びる突条を形成するとともに、レール７９，８９，５９にそれぞれ長手方向に延びて突条に係合する溝を形成してもよい。こうした構成によっても、ローラ４５，６５Ａ（６５Ｂ），５５から、それぞれレール７９，８９，５９が外れることを抑制することができる。
【０１０３】
・上記実施形態では、レール７９（８９）が、３つ乃至４つのローラ４５（３対乃至４対のローラ６５Ａ，６５Ｂ）に掛け渡される構成を採用した。しかしながら、レール７９が、２つのローラ４５に掛け渡される構成や、５つ以上のローラ４５に掛け渡される構成を採用することもできる。
【０１０４】
・移動式足場装置１９が、下部足場７０及び上部足場８０の一方のみを備えるようにすることもできる。その場合には、ローラ及びレールを支持部材４０の下部及び上部の一方にのみ備えればよいため、移動式足場装置１９の構成を簡素化することができる。
【０１０５】
・移動式足場装置１９を、一戸建ての住宅等に適用することもできる。その場合には、固定装置２０が、建物の構造体により支持されるようにするとよい。
【符号の説明】
【０１０６】
１０…建物、１９…移動式足場装置、２０…固定装置、２１…支柱、２５…斜材、３５…回転機構（切換機構）、４０…支持部材、４１…調節機構、４５…下部ローラ（第１ローラ）、５５…上部ローラ（第２ローラ）、５９…上部レール（第２レール）、６５Ａ，６５Ｂ…挟持ローラ（第２ローラ）、７０…下部足場、７９…下部レール（第１レール）、８０…上部足場、８９…被挟持レール（第２レール）。
【図１】
2013023903.tif 000003
【図２】
2013023903.tif 000004
【図３】
2013023903.tif 000005
【図４】
2013023903.tif 000006
【図５】
2013023903.tif 000007